【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
データを含んでいるページをモバイル機器に保存するための該モバイル機器における方法であって、
無線通信によって送信されたページを受信するステップ、
前記受信したページに該ページの保存を指示するページ保存命令が含まれているか否かを判定するステップ、および
前記ページ保存命令が含まれている場合、前記ページを保存するステップ
の各ステップを有して成り、
前記判定ステップが、前記ページ保存命令がページ保存アップデート命令であるか否かの判定を含み、
前記ページ保存命令が前記ページ保存アップデート命令のとき、前記保存ステップにおいて既存ページのコンテンツが前記受信したページのコンテンツに置換される
ことを特徴とする方法。
【請求項２】
前記受信したページが該ページの実行を指示するページ実行命令を含んでいる否かを判定するステップ、および
前記ページ実行命令が含まれている場合、前記ページを実行するステップ
の各ステップを更に有して成ることを特徴とする請求項１記載の方法。
【請求項３】
前記受信したページが削除すべき既存のページを特定するページ削除命令を含んでいる否かを判定するステップ、および
前記ページ削除命令が含まれている場合、前記特定されたページを記憶域から削除するステップ
の各ステップを更に有して成ることを特徴とする請求項１または２記載の方法。
【請求項４】
ユーザーからの入力を受けてページ要求を送出するステップ、
前記要求されたページが既に保存されているか否かを判定するステップ、および
該ページが既に保存されている場合、該ページを記憶域から取得するステップ、または該ページが保存されていない場合、該ページの無線要求を送信するステップ
の各ステップを更に有して成ることを特徴とする請求項１〜３いずれか１項記載の方法。
【請求項５】
前記ページがページ識別子と共に受信され、
前記保存ステップにおいて前記識別子が前記ページとは別に保存され、
前記要求されたページが既に保存されているか否かを判定するステップが、
該ページの識別子が既に保存されているか否かを判定するステップ、および
該ページの識別子が保存されていない場合、該ページのコンテンツに関し前記モバイル機器をシークせずに該ページが保存されていない旨の判定結果を返すステップ
の各ステップを有して成ることを特徴とする請求項４記載の方法。
【請求項６】
前記ページがページ識別子と共に受信され、
前記保存ステップにおいて前記識別子が前記ページとは別に保存されることを特徴とする請求項１〜４いずれか１項記載の方法。
【請求項７】
前記置換ステップにおいて、前記既存ページのページ識別子が置換されないことを特徴とする請求項５または６記載の方法。
【請求項８】
前記モバイル機器が携帯電話機であることを特徴とする請求項１〜７いずれか１項記載の方法。
【請求項９】
データを含んでいるページをモバイル機器に保存すための方法であって、
請求項１〜８いずれか１項記載の方法と、
前記モバイル機器が受信する予定のページを無線送信するステップ
とから成ることを特徴とする方法。
【請求項１０】
前記ページがページ識別子と共に送信されることを特徴とする請求項９記載の方法。
【請求項１１】
前記送信ステップに先立ち、インターネット・サーバーのようなデータベースから前記ページを取得するステップを更に有して成ることを特徴とする請求項９または１０記載の方法。
【請求項１２】
通信システム用モバイル機器であって、
送信されたページを受信する受信機、
前記受信したページに該ページの保存を指示するページ保存命令が含まれているか否かを判定する判定手段、および
前記ページ保存命令が含まれている場合、前記ページを保存する保存手段
を有して成り、
前記判定手段が、更に前記ページ保存命令がページ保存アップデート命令であるか否かを判定でき、
前記ページ保存命令がページ保存アップデート命令の場合、前記保存手段が更に既存ページのコンテンツを前記受信したページのコンテンツに置換できる
ことを特徴とする機器。
【請求項１３】
前記保存手段が、コンテンツを置換するとき、前記既存保存ページの前記ページ識別子を置換しないことを特徴とする請求項１２記載の機器。
【請求項１４】
前記判定手段が受信したページが該ページの実行を指示するページ実行命令を含んでいるか否かを更に判定でき、
前記ページ実行命令が含まれている場合、前記ページを実行する実行手段を更に備えていることを特徴とする請求項１２または１３記載の機器。
【請求項１５】
前記判定手段が受信したページが削除すべき既存のページを特定するページ削除命令を含んでいるか否かを更に判定でき、
前記ページ削除命令が含まれている場合、前記保存手段が更に前記特定されたページを該保存手段から削除できることを特徴とする請求項１２〜１４いずれか１項記載の機器。
【請求項１６】
ユーザーからの入力を受けてページ要求を送出するページ要求送出手段、および
該ページ要求を無線送信する送信手段を更に備え、
前記判定手段が前記要求されたページが既に保存されているか否かを更に判定でき、
該ページが既に保存されている場合、前記保存手段が更に該ページを取得できることを特徴とする請求項１２〜１５いずれか１項記載の方法。
【請求項１７】
前記判定手段により前記要求されたページが保存されていないと判定されたときに限り、該ページ要求が無線送信されることを特徴とする請求項１６記載の機器。
【請求項１８】
前記保存手段が、更に前記ページと共に受信されたページ識別子を該ページとは別に保存でき、
前記判定手段が、前記要求されたページが既に保存されているか否かを判定するとき、
該ページの識別子が既に保存されているか否かを判定し、
該ページの識別子が保存されていない場合、該ページのコンテンツに関し、前記保存手段をシークせずに該ページが保存されていない旨の判定結果を返すことを特徴とする請求項１６または１７記載の機器。
【請求項１９】
前記保存手段が、更に前記ページと共に受信されたページ識別子を該ページとは別に保存できることを特徴とする請求項１２〜１７いずれか１項記載の機器。
【請求項２０】
前記保存手段が、一部がページ識別子の保存、他の部分がページのコンテンツの保存に使用される少なくとも１つのメモリーを備えていることを特徴とする請求項１８または１９記載の機器。
【請求項２１】
前記保存手段が、１つがページ識別子の保存、別の１つがページのコンテンツの保存に使用される少なくとも２つの独立したメモリーを備えていることを特徴とする請求項１８または１９記載の機器。
【請求項２２】
前記少なくとも１つのメモリー、または前記１つのメモリーおよび別の１つのメモリーがそれぞれキャッシュ・メモリーから成っていることを特徴とする請求項２０または２１記載の機器。
【請求項２３】
前記受信機が非送信請求無線送信ページを受信でき、
前記判定手段および保存手段が該受信したページに対応できることを特徴とする請求項１２〜２２いずれか１項記載の機器。
【請求項２４】
前記受信機、判定手段、および保存手段が、ユーザーの介入を必要とせず、前記送信された非送信請求ページに自動的に対応できることを特徴とする請求項２３記載の機器。
【請求項２５】
前記判定手段および保存手段が前記ブラウザーに備えられていることを特徴とする請求項２４記載の機器。
【請求項２６】
前記判定手段および保存手段がＳＩＭカードに備えられていることを特徴とする請求項１２〜２５いずれか１項記載の機器。
【請求項２７】
請求項１２〜２５いずれか１項記載の機器に用いられるＳＩＭカードであって、前記判定手段および保存手段を備えていることを特徴とするカード。
【請求項２８】
データを含んでいるページをモバイル機器に保存する通信システムであって、
請求項１２〜２７いずれか１項記載の機器、
コンテンツを含んでいるページを無線通信によって前記モバイル機器に送信する送信手段、および
前記送信手段に送信ページを供給するページ供給手段
を有して成ることを特徴とするシステム。
【請求項２９】
前記送信手段が更にページ識別子と共に前記ページを送信できることを特徴とする請求項２８記載のシステム。